(57)【要約】【課題】  カメラに対してアクセサリシューを装着する際における汎用性及び融通性を高めるとともに、アクセサリシューの取付位置（取付角度）の容易な変更を可能にし、更に多機能性（多様性），携帯性及び利便性を高める。【解決手段】  カメラＣに対して着脱可能に構成し、かつアクセサリシュー２を支持してなるアクセサリシュー支持体部３を備えるカメラのアクセサリシュー装置１（１ａ，１ｂ，１ｃ）であって、アクセサリシュー２を支持し、かつカメラＣにおけるレンズ部ＣＬの先端に設けた被着脱部ＣＬｊに着脱する着脱部４を有するリング状のアクセサリシュー支持体部３を具備する。【選択図】  図１
2008112019.tif 000002
【特許請求の範囲】
【請求項１】
カメラに対して着脱可能に構成し、かつアクセサリシューを支持してなるアクセサリシュー支持体部を備えるカメラのアクセサリシュー装置において、前記アクセサリシューを支持し、かつ前記カメラにおけるレンズ部の先端に設けた被着脱部に着脱する着脱部を有するリング状のアクセサリシュー支持体部を具備してなることを特徴とするカメラのアクセサリシュー装置。
【請求項２】
前記被着脱部及び前記着脱部は、バヨネット式のマウント機構により構成することを特徴とする請求項１記載のカメラのアクセサリシュー装置。
【請求項３】
前記被着脱部及び前記着脱部は、嵌め込み式又はネジ込み式のマウント機構により構成するとともに、前記被着脱部を周方向の任意角度で前記着脱部に固定可能な固定機構を備えることを特徴とする請求項１記載のカメラのアクセサリシュー装置。
【請求項４】
前記アクセサリシュー支持体部は、前記レンズ部に着脱するフードを兼用することを特徴とする請求項１，２又は３記載のカメラのアクセサリシュー装置。
【請求項５】
前記アクセサリシュー支持体部は、前記レンズ部に着脱するフィルタを兼用することを特徴とする請求項１，２又は３記載のカメラのアクセサリシュー装置。
【発明の詳細な説明】
【技術分野】
【０００１】
本発明は、カメラに対して着脱可能に構成し、かつアクセサリシューを支持してなるアクセサリシュー支持体部を備えるカメラのアクセサリシュー装置に関する。
【背景技術】
【０００２】
一般に、カメラボディの上面には、各種アクセサリを着脱できるアクセサリシューを装備しており、このアクセサリシューには、必要に応じてストロボやＶＣメータ等のカメラに付属する各種アクセサリを装着することができる。
【０００３】
一方、カメラボディに予め装備されているアクセサリシューは、その位置がカメラボディの上面に固定されるとともに、ストロボを内蔵するタイプなどによってはアクセサリシューを装備しないカメラも存在する。このため、従来、カメラに対して別途のアクセサリシューを外付けできるようにしたアタッチメントも提案されており、例えば、実開平５−１５０２８号公報には、長円形の板体から成り、カメラの底面に螺合される螺子の挿通される長孔と、発光装置の基部に螺合される螺子の挿通される切欠とが設けられたブラケットが開示されている。
【特許文献１】実開平５−１５０２８号
【発明の開示】
【発明が解決しようとする課題】
【０００４】
しかし、上述した従来のブラケット（アクセサリシュー装置）は、次のような問題点があった。
【０００５】
第一に、ストロボの取付位置を動かすことを目的とすることから用途が限定されてしまう。即ち、ＶＣメータ（露出計）等のように、撮影者から見易くかつ操作し易い位置となるカメラボディのファインダ近くに配する必要のあるアクセサリにとっては利用できないか、或いは利用できたとしても使いにくくなるなど、汎用性及び融通性に難がある。
【０００６】
第二に、基本的にはアクセサリシューの機能に留まり、それ以外の機能は備えていないため、多機能性（多様性）に劣るとともに、他方、カメラに対しては一つの付属品が増えることになるため、携帯性に劣るなど、総合的な観点からは必ずしもカメラの利便性向上に寄与するとは言い難い。
【０００７】
本発明は、このような背景技術に存在する課題を解決したアクセサリシュー装置の提供を目的とするものである。
【課題を解決するための手段】
【０００８】
本発明は、上述した課題を解決するため、カメラＣに対して着脱可能に構成し、かつアクセサリシュー２を支持してなるアクセサリシュー支持体部３を備えるカメラのアクセサリシュー装置１（１ａ，１ｂ，１ｃ）を構成するに際して、アクセサリシュー２を支持し、かつカメラＣにおけるレンズ部ＣＬの先端に設けた被着脱部ＣＬｊに着脱する着脱部４を有するリング状のアクセサリシュー支持体部３を具備してなることを特徴とする。
【０００９】
この場合、発明の好適な態様により、被着脱部ＣＬｊ及び着脱部４は、バヨネット式のマウント機構１１により構成することができる。また、被着脱部ＣＬｊ及び着脱部４は、嵌め込み式（又はネジ込み式）のマウント機構１２により構成するとともに、被着脱部ＣＬｊを周方向の任意角度で着脱部４に固定可能な固定機構１３を備えて構成することもできる。さらに、アクセサリシュー支持体部３は、レンズ部ＣＬに着脱するフード１４に兼用させることができるとともに、レンズ部ＣＬに着脱するフィルタ１５に兼用させることもできる。
【発明の効果】
【００１０】
このような構成を有する本発明に係るアクセサリシュー装置１（１ａ，１ｂ，１ｃ）によれば、次のような顕著な効果を奏する。
【００１１】
（１）  アクセサリシュー２を支持し、かつカメラＣにおけるレンズ部ＣＬの先端に設けた被着脱部ＣＬｊに着脱する着脱部４を有するリング状のアクセサリシュー支持体部３を備えるため、例えば、アクセサリシューを装備しないカメラであっても、アクセサリシューを装備したカメラに類する位置、即ち、カメラＣに対する左右中央の上面位置付近に装備できるため、ＶＣメータ等のアクセサリであっても撮影者から見易くかつ操作し易い位置に装備できるなど、汎用性及び融通性に優れる。
【００１２】
（２）  好適な態様により、被着脱部ＣＬｊ及び着脱部４を、バヨネット式のマウント機構１１により構成すれば、レンズ部ＣＬの周方向における複数の噛み合わせ位置に対応して取付位置を容易に変更できるため、例えば、ストロボの取付位置（取付角度）に対しても必要に応じて最適な位置（角度）を選択できる。
【００１３】
（３）  好適な態様により、被着脱部ＣＬｊ及び着脱部４を、嵌め込み式（又はネジ込み式）のマウント機構１２により構成するとともに、被着脱部ＣＬｊを周方向の任意角度で着脱部４に固定可能な固定機構１３を備えて構成すれば、例えば、ストロボの取付位置（取付角度）を任意の位置（角度）に選定できる。
【００１４】
（４）  好適な態様により、アクセサリシュー支持体部３を、レンズ部ＣＬに着脱するフード１４又はフィルタ１５に兼用させれば、フード１４又はフィルタ１５にアクセサリシュー２を含ませることができるため、多機能性（多様性）を高めることができるとともに、カメラＣに対して別途の追加付属品が不要となるため、携帯性の向上、更には利便性向上に寄与できる。
【発明を実施するための最良の形態】
【００１５】
次に、本発明に係る最良の実施形態を挙げ、図面に基づき詳細に説明する。
【００１６】
まず、本実施形態に係るアクセサリシュー装置１の構成について、図１〜図６を参照して説明する。
【００１７】
アクセサリシュー装置１は、図１及び図２に示すように、リング状のアクセサリシュー支持体部３と、このアクセサリシュー支持体部３に固定したアクセサリシュー２を備える。アクセサリシュー支持体部３は、図４及び図５に示すカメラＣにおけるレンズ部ＣＬに着脱するフード１４を兼用する。したがって、アクセサリシュー支持体部３の基本的な構成はフードとして構成、即ち、所定幅の軸方向長さを有する筒形のフード本体部１４ｍと、このフード本体部１４ｍの後端に設けた着脱部４をプラスチック等により一体成形して構成する。
【００１８】
この場合、レンズ部ＣＬの先端には被着脱部ＣＬｊを有し、この被着脱部ＣＬｊに対してアクセサリシュー支持体部３の着脱部４が着脱する。被着脱部ＣＬｊ及び着脱部４は、バヨネット式のマウント機構１１により構成する。したがって、着脱部４は、図２に示すように、周方向に沿って９０〔゜〕間隔おきに四つの噛合部２１ａ，２１ｂ，２１ｃ，２１ｄを有し、この噛合部２１ａ…をレンズ部ＣＬの被着脱部ＣＬｊに設けた不図示の被噛合部に噛み合わせて装着できるとともに、噛み合わせを解除することにより離脱できる。例示のマウント機構１１は、四つの異なる角度、即ち、０〔゜〕（上），９０〔゜〕（右），１８０〔゜〕（下），２７０〔゜〕（左）の角度により装着可能である。このようなバヨネット式のマウント機構１１を用いることにより、レンズ部ＣＬの周方向における複数の噛み合わせ位置に対応して取付位置を容易に変更でき、例えば、ストロボの取付位置（取付角度）に対しても必要に応じて最適な位置（角度）を選択できる利点がある。
【００１９】
さらに、フード本体部１４ｍの周面上には、アクセサリシュー２を取付けるアクセサリシュー取付部２２を一体形成する。この場合、アクセサリシュー取付部２２は、フード本体部１４ｍの周面上に、盛上部を一体形成し、この盛上部の先端面にアクセサリシュー２を載せる取付面２２ｆを形成する。この取付面２２ｆは、アクセサリシュー２に対してほぼ同じ形状の平坦面により形成する。これにより、アクセサリシュー取付部２２上にアクセサリシュー２を載置し、ネジ止め等により取付けることができる。
【００２０】
次に、本実施形態に係るアクセサリシュー装置１の使用方法について、図１〜図６を参照して説明する。
【００２１】
図中、Ｃは、カメラボディ部ＣＭとレンズ部ＣＬを備えるカメラであり、銀塩フィルムを使用するフィルム式カメラを示す。このカメラＣには、一般的なスチルカメラと同様に、シャッタスピード設定ダイヤル３１，レリーズボタン３２，フィルム巻上レバー３３等を備えているが、露出を自動で設定するオートモード機能やアクセサリシューは装備していない。なお、レンズ部ＣＬには交換レンズを用いることが望ましいが、非交換レンズであってもよい。交換レンズは、バヨネット式のレンズマウントによりカメラボディ部ＣＭに着脱する。交換レンズ又は非交換レンズのいずれの場合であっても、レンズ部ＣＬの先端には、バヨネット式のマウント機構１１を構成する被着脱部ＣＬｊを有する。
【００２２】
今、このカメラＣにアクセサリＡとして、図１に示すＶＣメータ（露出計）Ａｃを装着する場合を想定する。なお、例示のＶＣメータＡｃは、絞り優先又はシャッタスピード優先のどちらでも使用でき、測光ボタン３５を押し、絞り値用ダイヤル３６又はシャッタスピード用ダイヤル３７のいずれかを回せば、表示部３８に適正状態を表示させることができる。このＶＣメータＡｃの底面には、アクセサリシュー２に対するシュー着脱部３９を備えている。
【００２３】
そして、カメラＣに、本実施形態に係るアクセサリシュー装置１を装着するには、まず、レンズ部ＣＬの被着脱部ＣＬｊにアクセサリシュー支持体部３の着脱部４を噛み合わして装着する。この際、図４及び図５に示すように、アクセサリシュー２が上位置となるように噛み合わせ位置（角度）を選択する。これにより、レンズ部ＣＬにはフード１４が装着されると同時にアクセサリシュー２も装備される。このように、アクセサリシュー支持体部３は、フード１４を兼用するため、フード１４にアクセサリシュー２が含まれることになり、多機能性（多様性）が高められるとともに、ブラケット等のようなカメラＣにとっての別途の追加付属品は不要となり、携帯性の向上、更には利便性向上が図られる。
【００２４】
一方、図３及び図５に示すように、アクセサリシュー２に、ＶＣメータＡｃの底面に備えるシュー着脱部３９を差し込めば、ＶＣメータＡｃをカメラＣに取付けることができる。図４がＶＣメータＡｃを取付けたカメラＣの外観正面図を示す。
【００２５】
このように、アクセサリシュー装置１は、アクセサリシュー２を支持し、かつカメラＣにおけるレンズ部ＣＬの被着脱部ＣＬｊに着脱する着脱部４を有するアクセサリシュー支持体部３を備えるため、例えば、アクセサリシューを装備しないカメラであっても、アクセサリシューを装備したカメラに類する位置、即ち、カメラＣに対する左右中央の上面位置付近に装備でき、もって、ＶＣメータＡｃ等のアクセサリＡであっても撮影者から見易くかつ操作し易い位置に装備させることができるなど、汎用性及び融通性に優れる。
【００２６】
しかも、アクセサリシュー装置１は、レンズ部ＣＬの周方向における四つの噛み合わせ位置、即ち、四つの異なる角度（０〔゜〕（上），９０〔゜〕（右），１８０〔゜〕（下），２７０〔゜〕（左））に取付位置（取付角度）を容易に変更することができ、例えば、図６に示すように、カメラＣを縦置にして撮影する際には、アクセサリシュー装置１を、図４に示す上位置（０〔゜〕）から図６に示す右位置（９０〔゜〕）に変更すれば、ストロボＳの位置をレンズ部ＣＬの真上に配することができるなど、必要に応じて最適な位置（角度）を選択することができる。
【００２７】
次に、本発明の変更実施形態に係るアクセサリシュー装置１ａ，１ｂ，１ｃについて、図７及び図８を参照して説明する。
【００２８】
図１〜図６に示したアクセサリシュー装置１は、アクセサリシュー支持体部３をフード１４に兼用させた例を示したが、図７に示すアクセサリシュー装置１ａは、いわばレンズ部ＣＬに着脱する着脱部４のみによりアクセサリシュー支持体部３を構成したものであり、アクセサリシュー支持体部３は他の機能部品に兼用させない例を示す。また、図７に示すアクセサリシュー装置１ｂは、アクセサリシュー装置１ａに対して、さらにフィルタ部１５ｆを追加し、アクセサリシュー支持体部３をレンズ部ＣＬに着脱するフィルタ１５に兼用させたものである。この場合、着脱部４のみにより構成したアクセサリシュー支持体部３の内側にフィルタ部１５ｆを取付けることによりフィルタ１５を構成できる。このように、アクセサリシュー支持体部３をフィルタ１５に兼用させれば、フィルタ１５にアクセサリシュー２が含まれるため、図１〜図６に示した実施形態と同様に、多機能性（多様性）が高められるとともに、ブラケット等のようなカメラＣにとっての別途の追加付属品は不要となり、携帯性の向上、更には利便性向上が図られる。なお、図７において、図１〜図６と同一部分には同一符号を付してその構成を明確にした。
【００２９】
また、図１〜図６に示したアクセサリシュー装置１は、被着脱部ＣＬｊ及び着脱部４を、バヨネット式のマウント機構１１により構成した例を示したが、図８に示すアクセサリシュー装置１ｃは、被着脱部ＣＬｊ及び着脱部４を、嵌め込み式のマウント機構１２により構成するとともに、被着脱部ＣＬｊを周方向の任意角度で着脱部４に固定可能な固定機構１３を備えて構成したものである。嵌め込み式は、被着脱部ＣＬｊに、円筒形の嵌合突部を設けるとともに、着脱部４に、当該嵌合突部が挿入（嵌合）する嵌合溝部４１を設けて構成できる。この嵌合溝部４１は、図８に示すように、フード本体部１４ｍの後端に一体に設けた外筒部４１ｏと内筒部４１ｉ間に形成される隙間（溝）を用いる。固定機構１３には、外筒部４１ｏに螺合した固定用ネジ１３ｓを用いることができる。図８は嵌め込み式のマウント機構１２を例示したが、被着脱部ＣＬｊ及び着脱部４をネジ込み式に構成してもよく、被着脱部ＣＬｊ及び着脱部４にネジ部を設ける他は、基本的には嵌め込み式と同様に構成できる。このような嵌め込み式又はネジ込み式のマウント機構１２を用いれば、例えば、ストロボの取付位置（取付角度）を任意の位置（角度）に選定できる。なお、図８において、図１〜図６と同一部分には同一符号を付してその構成を明確にした。
【００３０】
以上、最良の実施形態について詳細に説明したが、本発明はこのような実施形態に限定されるものではなく、細部の構成，形状，素材，数量等において、本発明の要旨を逸脱しない範囲で、任意に変更，追加，削除することができる。
【００３１】
例えば、アクセサリシュー支持体部３に、二以上のアクセサリシュー２…を支持する形態により構成してもよい。また、アクセサリシューを装備しないカメラＣを例示したが、アクセサリシューを装備したカメラにアクセサリシュー２を追加する態様であっても勿論よい。さらに、カメラＣとして、フィルム式カメラを例示したが、デジタルカメラやビデオカメラ等の各種カメラにも同様に適用できる。
【図面の簡単な説明】
【００３２】
【図１】本発明の最良の実施形態に係るアクセサリシュー装置及びＶＣメータの前斜視図、
【図２】同アクセサリシュー装置の後斜視図、
【図３】同アクセサリシュー装置及びＶＣメータの正面図、
【図４】同アクセサリシュー装置及びＶＣメータを装着した状態を示すカメラの外観正面図、
【図５】同アクセサリシュー装置及びＶＣメータをカメラに装着する際における説明用側面図、
【図６】同アクセサリシュー装置及びストロボを装着する際の態様を示すカメラの外観正面図、
【図７】本発明の変更実施形態に係るアクセサリシュー装置の一部破断側面図、
【図８】本発明の他の変更実施形態に係るアクセサリシュー装置の後斜視図、
【符号の説明】
【００３３】
１：アクセサリシュー装置，１ａ：アクセサリシュー装置，１ｂ：アクセサリシュー装置，１ｃ：アクセサリシュー装置，２：アクセサリシュー，３：アクセサリシュー支持体部，４：着脱部，１１：マウント機構，１２：マウント機構，１３：固定機構，１４：フード，１５：フィルタ，Ｃ：カメラ，ＣＬ：レンズ部，ＣＬｊ：被着脱部
【図１】
2008112019.tif 000003
【図２】
2008112019.tif 000004
【図３】
2008112019.tif 000005
【図４】
2008112019.tif 000006
【図５】
2008112019.tif 000007
【図６】
2008112019.tif 000008
【図７】
2008112019.tif 000009
【図８】
2008112019.tif 000010